(57)【要約】【課題】  近年主流となったリモコンタイプの衛生洗浄装置では、リモコンから本体へ片方向の通信手段しか備えていない為、本体が使用者の使用終了を判断し、使用者が切替えた設定を標準状態に戻すと、本体の設定は標準状態へ戻るが、リモコンの表示は使用者が切替えたままの設定表示となり、本体の設定と異なってしまう。【解決手段】  衛生洗浄装置の動作を指示する動作指示手段と、衛生洗浄装置が有する機能の設定を、予め定められた標準状態から設定変更する機能設定変更手段とを有するリモコンを備えた衛生洗浄装置において、前記リモコンに、使用者の使用終了を判別する使用終了判断手段を設け、前記使用終了判断手段が衛生洗浄装置の使用終了を判別した時に、使用者が使用中に切り替えた前記機能設定変更手段の設定を、標準状態に復帰させる。【選択図】  図１
2005163399.tif 000002
【特許請求の範囲】
【請求項１】
衛生洗浄装置の動作を指示する動作指示手段と、衛生洗浄装置が有する機能の設定を、予め定められた標準状態から設定変更する機能設定変更手段とを有するリモコンを備えた衛生洗浄装置において、
前記リモコンに、使用者の使用終了を判別する使用終了判断手段を設け、前記使用終了判断手段が衛生洗浄装置の使用終了を判別した時に、使用者が使用中に切り替えた前記機能設定変更手段の設定を、標準状態に復帰させることを特徴とする衛生洗浄装置。
【請求項２】
前記判断手段が使用者の衛生洗浄装置の使用終了と判断する時を、リモコンの便器内の洗浄を開始する信号を出力した時としたことを特徴とする請求項１記載の衛生洗浄装置。
【請求項３】
前記判断手段が使用者の衛生洗浄装置の使用終了と判断する時を、前記便器内の洗浄を開始する信号を出力し、所定時間経過後としたことを特徴とする請求項１記載の衛生洗浄装置。
【請求項４】
前記判断手段が使用者の衛生洗浄装置の使用終了と判断する時を、衛生洗浄装置の設定を切替えてから所定時間経過後であることを特徴とする請求項１記載の衛生洗浄装置。
【請求項５】
前記リモコンが便蓋便座の開閉を指示する開閉指示手段を備え、便蓋便座の自動開閉機構と、角度検知手段を有する衛生洗浄装置において、前記判断手段が使用者の衛生洗浄装置の使用終了と判断する時を、リモコンにより便蓋が閉められた時であることを特徴とする請求項１記載の衛生洗浄装置。
【発明の詳細な説明】
【技術分野】
【０００１】
本発明は、衛生洗浄装置に関し、特に設定の指示手段を有するリモコンを備えた衛生洗浄装置に関する。
【背景技術】
【０００２】
衛生洗浄装置は、便座暖房機能、局部洗浄機能、局部乾燥機能、室内暖房機能等の複数の機能を備えるのが一般的である。これらの機能は、最初は、標準状態に設定されているが、使用者が温度調節スイッチやノズルの位置調節スイッチ等を操作することにより使用者の好みの設定にすることができる。この場合、使用者が立ち去った後にも使用者が変更した機能の設定はそのまま維持されることになる。
しかし、これでは、特に不特定多数の使用者が利用する場所に設置されている衛生洗浄装置において、次の使用者が前の使用者の設定の影響を受けて使用時に不快となることがある。そのため、使用者の好みによって変更された衛生洗浄装置の機能の設定を、局部洗浄を停止する毎に標準状態へ戻していた（例えば特許文献１参照）。
【０００３】
また、別の例としては、図７に示すように、使用者の好みにより衛生洗浄装置本体５１の袖部に設けられた操作手段５２によって切替えられた衛生洗浄装置の設定を、使用者の着座を検知する着座検知手段５３（着座センサ）がオフする毎に標準状態へ戻していた（例えば特許文献２参照）。
【特許文献１】特開昭６３−１２２８３３号公報
【特許文献２】特開２００３−２３９３５６号公報（第３頁、第１図）
【０００４】
上述したような機構は、衛生洗浄装置の諸機能の設定変更を行なう操作手段と、諸機能を実行する実行部（例えば、暖房便座、洗浄ノズル、熱交換器等）と、これらを制御する制御部が、図７のように衛生洗浄装置本体５１内に収められていて、各部が通信線で接続されて信号線の授受を行なっているから可能となっているのである。
【発明の開示】
【発明が解決しようとする課題】
【０００５】
しかし、近年の主流となったリモコンで衛生洗浄装置を操作する形態においては、リモコンから本体へ片方向の通信手段しか備えていない為、上記のような袖操作部タイプの技術をそのまま使用すると、衛生洗浄装置本体側の機能の設定は標準状態へ戻っているが、リモコンの表示は使用者が切替えたままの設定表示となり、本体の設定と異なってしまうという問題点を生じることになってしまう。
【０００６】
そこで、本発明は上記の問題点を解決するため、次の使用者に対しては前の使用者の切替えた設定に左右されず、標準状態での快適な局部洗浄を行える衛生洗浄装置を提供することを目的とする。さらに、同一の使用者に対しては使用終了まで切替えたままの設定を維持できる衛生洗浄装置を提供することを第２の目的とする。
【課題を解決するための手段】
【０００７】
上記目的を達成するために本発明の第１の発明では、衛生洗浄装置の動作を指示する動作指示手段と、衛生洗浄装置が有する機能の設定を、予め定められた標準状態から設定変更する機能設定変更手段とを有するリモコンを備えた衛生洗浄装置において、前記リモコンに、使用者の使用終了を判別する使用終了判断手段を設け、前記使用終了判断手段が衛生洗浄装置の使用終了を判別した時に、使用者が使用中に切り替えた前記機能設定変更手段の設定を、標準状態に復帰させることを特徴とした衛生洗浄装置を提供する。
ここで、動作指示手段とは、洗浄開始スイッチ、止スイッチ、乾燥開始スイッチ、脱臭開始スイッチ、等の機能を作動又は停止するための手段を指す。また、機能設定変更手段とは、例えば、水温調節スイッチ、水勢調節スイッチ、ノズル位置（洗浄位置）調節スイッチ、便座暖房温度調節スイッチ、室内暖房温度調節スイッチ、等の、衛生洗浄装置が備える諸機能の設定を変更する手段を指す。
【０００８】
これにより、衛生洗浄装置本体では使用者の使用終了を判断しなくても、使用者の使用状況に左右されず、次の使用者に対しては標準状態での快適な局部洗浄を提供することが出来る。
【０００９】
第２の発明では、前記判断手段が使用者の衛生洗浄装置の使用終了と判断する時を、リモコンの便器内の洗浄を開始する信号を出力した時としたことを特徴とした請求項１記載の衛生洗浄装置を提供する。
【００１０】
本発明によれば、使用者が使用終了時に便器内の洗浄を行う為にリモコンの操作をすることで、使用中に切替えた設定が標準状態に戻るので、例えば、トイレに入り最初に前記便器内の洗浄を行う操作をされた時でも、その使用者に対しては標準状態での快適な局部洗浄を提供することが出来、また使用終了時に前記便器内の洗浄を行う操作がなされた場合には、次の使用者に対して標準状態での快適な局部洗浄を提供することが出来る。
【００１１】
第３の発明では、前記判断手段が使用者の衛生洗浄装置の使用終了と判断する時を、前記便器内の洗浄を開始する信号を出力し、所定時間経過後としたことを特徴とした請求項１記載の衛生洗浄装置を提供する。
【００１２】
本発明によれば、使用者が使用終了時に便器内の洗浄を行う為にリモコンの操作をした後、所定時間経過することで、使用中に切替えた設定が標準状態に戻るので、例えば、使用途中で便器内の洗浄を行う為にリモコンの操作がされた場合に、同一の使用者が続けて局部洗浄を行う際には、使用中に切替えた設定はそのままとなっており、使用終了後に便器内の洗浄を行う為にリモコンの操作をされた場合には、次の使用者が来るまでに設定は標準状態に戻り、同じ使用者に対しても、次の使用者に対しても、快適な局部洗浄を提供することが出来る。
【００１３】
第４の発明では、前記判断手段が使用者の衛生洗浄装置の使用終了と判断する時を、衛生洗浄装置の設定を切替えてから所定時間経過後であることを特徴とした請求項１記載の衛生洗浄装置を提供する。
【００１４】
本発明によれば、使用者が使用中に切替えた衛生洗浄装置の設定を、切替えてから所定時間経過したことで使用終了と判断し、衛生洗浄装置の設定を標準状態に戻すので、例えば、第２第３の発明に示すような、便器内の洗浄を行う操作を忘れた場合でも、各々設定は所定時間経過すれば標準状態に戻り、次の使用者には標準状態の快適な局部洗浄を提供することが出来る。
【００１５】
第５の発明では、便蓋便座の開閉を指示する開閉指示手段を備えた前記リモコンと、便蓋便座の自動開閉機構と、角度検知手段を有する衛生洗浄装置において、前記判断手段が使用者の衛生洗浄装置の使用終了と判断する時を、リモコンにより便蓋が閉められた時であることを特徴とする請求項１記載の衛生洗浄装置を提供する。
【００１６】
本発明によれば、衛生洗浄装置の便蓋がリモコンにより閉められた時に、使用者が使用中に切替えた衛生洗浄装置の設定を標準状態に戻すので、例えば、第２第３の発明に示すような、便器内の洗浄を行う操作を忘れた場合でも、使用中に切替えた設定は標準状態に戻り、次の使用者には標準状態の快適な局部洗浄を提供することが出来る。
【発明の効果】
【００１７】
以上詳述したように本発明の衛生洗浄装置は、リモコンが使用者の衛生洗浄装置の使用終了と判断し、使用者が使用中に切替えた衛生洗浄装置の設定を標準状態に戻すので、使用者の使用状況に左右されず、次の使用者は標準状態での快適な局部洗浄を行うことが出来る。また、同一の使用者は最後まで好みで設定された快適な局部洗浄を行なうことも可能となる。
【発明を実施するための最良の形態】
【００１８】
以下に図面を参照して本発明をより具体的に説明する。
【００１９】
図１は本発明の衛生洗浄装置を示す要部ブロック構成図である。同図において、１は衛生洗浄装置の本体制御部、１２は本体とは電源を異にするリモコンである。利用者がリモコン上の操作手段１４を操作すると、操作状態に応じた表示を表示手段１６に行い、同時に本体へリモコン送信信号を送信手段１５より送信する。本体制御部１における受信手段７によりリモコン１２からのリモコン送信信号を受信すると、制御回路２により、局部の洗浄手段８の洗浄開始や水勢や洗浄位置の調節、設定の入り／切りなどの制御を行う。洗浄手段８には、使用者の局部を洗浄する機能があり、リモコン上の操作手段１４にて、洗浄水の温度や洗浄位置、洗浄水の水勢を数段階に渡り切替えることが出来る。３は記憶装置であり、例えばＥＥＰＲＯＭのような不揮発性メモリで、停電時に同じ設定で復帰出来るよう設定の入り／切りや便座温度などが記憶される。５は便蓋便座自動開閉手段であり、角度検知手段１９により便蓋や便座の開いている状態や閉じている状態を検出し、リモコン上の操作手段１４にて操作することで、便蓋便座の開閉を行うことが出来る。なお、洗浄水の温度や洗浄位置、洗浄水の水勢は、最初は本体制御部１内の記憶手段３及びリモコン１２内の制御回路１３に予め定められた標準状態に設定されており、図には詳述していない各種の機能設定変更手段（水温度調節スイッチ、洗浄位置調節スイッチ、水勢調節スイッチ）により設定の切り替えが可能となっている。
【００２０】
また、人体検出手段６を使用することで、人が衛生洗浄装置の前に来るとセンサの反応により人体を検出し、便蓋便座自動開閉手段５により、自動で便蓋を開けることも出来る。１０は着座検出手段であり、人が便座に座ったことを検出することが出来、着座を検出した時以外は洗浄手段８を動作させないことや、本体制御部の操作手段４やリモコンによる操作を無効にするなどの判断を制御回路２で行うことが出来る。９は時間計測手段であり、洗浄手段８を安全のために所定時間で停止させるなどの計測を行うことが出来る。１８は便器内の洗浄を行う手段であり、例えばリモコン２の操作手段１４のスイッチを押された時に、便器内の洗浄を行うことが出来る。２０は使用終了判断手段であり、例えばリモコン２上の操作手段１４のスイッチを押された時や、スイッチを押されてからタイマーを作動させ所定時間経過後に使用者が衛生洗浄装置の使用終了したことを判断することが出来る。
【００２１】
上記構成において、使用者が用便後、局部への洗浄開始をリモコン上の操作手段１４で選択すると、制御回路２は洗浄手段８へ洗浄開始を伝える。その後、使用者により洗浄水温度や洗浄水流量、洗浄位置をリモコンにより選択された条件に応じて、洗浄水を人体局部へと噴出する。ここで、使用者が一度局部洗浄を終了し、再度洗浄を開始する際もそれ以前に設定された条件で局部洗浄を行うことが出来る。また、リモコン上の操作手段１４にて便器内の洗浄を行う操作をし、さらに便座便蓋を閉めて退室する。ここでリモコンの判断手段２０は、このような使用者が最後に操作した状態により使用終了を判断し制御回路１３に伝え、次の使用者が標準状態の快適な局部洗浄を行えるよう、それまで使用者の好みにより調節されていた衛生洗浄装置の設定を標準状態に戻すと共に、表示手段１６も標準状態に戻すことが出来る。この時、標準状態に戻した各設定情報については、この瞬間に本体制御部１へ知らせることも出来るし、次回の局部洗浄開始時に知らせることも出来る。
【００２２】
以上のようにこの衛生洗浄装置は、本体制御部１はリモコン１２からの信号を頼りに制御を行うもので、使用者の衛生洗浄装置の使用終了および次の使用者のために各設定を標準状態へ戻す判断はしなくても良く、使用者の衛生洗浄装置の使用終了は、使用者によって操作された状態によりリモコン１２が判断し、次の使用者の為に各設定を標準状態に戻すことが出来る。さらに、本体制御部１上の操作手段４によってリモコン１２が故障などして使用出来ない状態に置かれた場合にも局部洗浄を行えるが、このような時は使用者によって切替えられた各設定を所定時間経過後に標準状態へ戻すことも出来る。
【００２３】
以下、この衛生洗浄装置において、各種機能の設定と各設定を標準状態に戻す複数の手段を、タイミングチャートを用いて詳細に説明する。
図２は、各種設定と標準状態に戻す手段を示す第一のタイミングチャートである。衛生洗浄装置の一般的な使用方法として、使用者がトイレ入室後、便座に座り、用便し局部の洗浄を行う。同図では、電磁弁が開いている時に本体制御部１の洗浄手段８より吐水していることを示している。途中、リモコン上の操作手段１４により、例えば図に示すような洗浄水の水勢や洗浄位置、温水温度、便座温度などを好みに応じて切替えることが出来る。その後、リモコン上の操作手段１４により洗浄を終了し、便座から立ち上がり、リモコン上の操作手段１４により便器内の洗浄を行い退室する。ここで、今の使用者が水勢や温水温度を最大にしていた場合、次の使用者がリモコン上の表示手段１６を確認せず局部洗浄を開始した時に驚くことが十分に予想されるので、リモコン１２の使用終了判断手段２０は、操作手段１４により便器内の洗浄操作をされた時に使用者の使用終了と判断し、切替えられた各設定を標準状態に戻すことが出来る。
【００２４】
以上のようにこの第一のタイミングチャートでは、リモコンの便器内の洗浄を開始する信号を出力した時に、判断手段が使用者の衛生洗浄装置の使用終了と判断し、使用中に切替えられた衛生洗浄装置の各設定を標準状態に戻すので、その使用者に対しては標準状態での快適な局部洗浄を使用終了まで提供することが出来、次の使用者に対しては標準状態での快適な局部洗浄を提供することが出来る。
【００２５】
図３は、各種設定と標準状態に戻す手段を示す第二のタイミングチャートである。衛生洗浄装置の一般的な使用方法として、使用者がトイレ入室後、便座に座り、用便し局部の洗浄を行う。同図では、電磁弁が開いている時に本体制御部１の洗浄手段８より吐水していることを示している。途中、リモコン上の操作手段１４により、例えば図に示すような洗浄水の水勢や洗浄位置、温水温度、便座温度などを好みに応じて切替えることが出来る。また、使用方法として便器内の洗浄は、使用者によっては用便の音を消す役割りとして使用されることがある。リモコン上の操作手段１４により便器内の洗浄を行う操作をされた時、制御回路１３はタイマ−にて所定時間の計測を開始する。その後、使用者はリモコン上の操作手段１４により局部洗浄を終了し、便座から立ち上がり、リモコン上の操作手段１４により便器内の洗浄を行い退室する。ここで、便器内の洗浄操作をされた時に制御回路１３は、再度タイマ−にて所定時間の計測を開始し、所定時間が経過した時点で、使用終了判断手段２０が使用者の使用終了と判断し、切替えられた各設定を標準状態に戻すと共に表示手段１６の設定も標準状態に戻すことが出来る。
【００２６】
以上のようにこの第二のタイミングチャートでは、前記便器内の洗浄を開始する信号を出力し所定時間経過した時に、判断手段が使用者の衛生洗浄装置の使用終了と判断し、使用中に切替えられた衛生洗浄装置の各設定を標準状態に戻すので、使用者が局部洗浄音や用便の音を消す役割りとして便器内の洗浄を行った場合でも、その使用者が切替えた各設定は維持することが出来、次の使用者に対して標準状態での快適な局部洗浄を提供することが出来る。また、リモコン１２のタイマーにて計測する時間は、所定時間経過する前に局部洗浄を行われた場合は、再度時間をセットし計測することも出来る。
【００２７】
図４は、各種設定と標準状態に戻す手段を示す第三のタイミングチャートである。衛生洗浄装置の一般的な使用方法として、使用者がトイレ入室後、便座に座り、用便し局部の洗浄を行う。同図では、電磁弁が開いている時に本体制御部１の洗浄手段８より吐水していることを示している。途中、リモコン上の操作手段１４により、例えば図に示すような洗浄水の水勢や洗浄位置、温水温度、便座温度などを好みに応じて切替えることが出来る。ここで、使用者がリモコン上の操作手段１４により各設定を切替えた時、リモコン１２の制御回路１３はタイマ−にて所定時間の計測を開始する。また、計測を開始したタイマーは、使用者が各設定を変更するたびに時間を更新することが出来る。その後、使用者はリモコン上の操作手段１４により局部への洗浄を終了し、便座から立ち上がり、リモコン上の操作手段１４により便器内の洗浄を行い退室する。ここで、タイマーにより計測していた所定時間が経過した時点で、使用終了判断手段２０は使用者の使用終了と判断し、切替えられた各設定を標準状態に戻すと共に表示手段１６の設定も標準状態に戻すことが出来る。
【００２８】
以上のようにこの第三のタイミングチャートでは、衛生洗浄装置の設定を切替えてから所定時間経過した時に、判断手段が使用者の衛生洗浄装置の使用終了と判断し、使用中に切替えられた衛生洗浄装置の各設定を標準状態に戻すので、第一、第二のタイミングチャートに示すような、便器内の洗浄を行う操作を忘れた場合でも、各々設定は所定時間経過すれば標準状態に戻り、次の使用者には標準状態の快適な局部洗浄を提供することが出来る。なお、リモコン１２のタイマーにて計測する時間は、操作手段１４にて局部洗浄の開始操作をされた時や、停止した時にも再度時間をセットし計測することが出来る。
【００２９】
図５は、各種設定と標準状態に戻す手段を示す第四のタイミングチャートである。
衛生洗浄装置の一般的な使用方法として、使用者がトイレ入室後、便座に座り、用便し局部の洗浄を行う。同図では、電磁弁が開いている時に本体制御部１の洗浄手段８より吐水していることを示している。途中、リモコン上の操作手段１４により、例えば図に示すような洗浄水の水勢や洗浄位置、温水温度、便座温度などを好みに応じて切替えることが出来る。その後、使用者が使用終了し、退室する際にリモコン上の操作手段１４により便蓋を閉める。ここで、リモコン上の操作手段１４により便蓋を時にリモコン１２の使用終了判断手段２０は使用者の使用終了と判断し、切替えられた各設定を標準状態に戻すと共に表示手段１６の設定も標準状態に戻すことが出来る。
【００３０】
以上のようにこの第四のタイミングチャートでは、リモコンにより便蓋が閉められた時に、判断手段が使用者の衛生洗浄装置の使用終了と判断し、使用中に切替えられた衛生洗浄装置の各設定を標準状態に戻すので、第一、第二のタイミングチャートに示すような、便器内の洗浄を行う操作を忘れた場合でも、使用中に切替えた設定は標準状態に戻り、次の使用者には標準状態の快適な局部洗浄を提供することが出来る。
【００３１】
図６は、各種設定と標準状態に戻す手段を示す第五のタイミングチャートである。衛生洗浄装置の一般的な使用方法として、使用者がトイレ入室後、便座に座り、用便し局部の洗浄を行う。同図では、電磁弁が開いている時に本体制御部１の洗浄手段８より吐水していることを示している。途中、リモコン上の操作手段１４により、例えば図に示すような洗浄水の水勢や洗浄位置、温水温度、便座温度などを好みに応じて切替えることが出来、その後リモコン上の操作手段１４により局部への洗浄を終了する。ここで、今の使用者が水勢や温水温度を最大にしていた場合、次の使用者がリモコン上の表示手段１６を確認せず局部洗浄を開始した時に驚くことが十分に予想されるので、リモコン１２の使用終了判断手段２０は、操作手段１４により局部洗浄を停止した時に使用者の使用終了と判断し、切替えられた各設定を標準状態に戻すことが出来る。
【００３２】
以上のようにこの第五のタイミングチャートでは、リモコンの局部洗浄を停止する信号を出力した時に、判断手段が使用者の衛生洗浄装置の使用終了と判断し、使用中に切替えられた衛生洗浄装置の各設定を標準状態に戻すので、次の使用者に対しては標準状態での快適な局部洗浄を提供することが出来る。
【図面の簡単な説明】
【００３３】
【図１】本発明の第一の実施例を示す要部ブロック構成図
【図２】本発明の衛生洗浄装置の各種設定と標準状態に戻す手段を示す第一のタイミングチャート
【図３】本発明の衛生洗浄装置の各種設定と標準状態に戻す手段を示す第二のタイミングチャート
【図４】本発明の衛生洗浄装置の各種設定と標準状態に戻す手段を示す第三のタイミングチャート
【図５】本発明の衛生洗浄装置の各種設定と標準状態に戻す手段を示す第四のタイミングチャート
【図６】本発明の衛生洗浄装置の各種設定と標準状態に戻す手段を示す第五のタイミングチャート
【図７】従来の衛生洗浄装置の構成図
【符号の説明】
【００３４】
１…本体制御部
２…制御回路
３…記憶手段
４…操作手段
５…便蓋便座自動開閉手段（自動開閉機構）
６…人体検出手段
７…受信手段
８…洗浄手段
９…時間計測手段
１０…着座検出手段
１１…電源部
１２…リモコン
１３…制御回路
１４…操作手段
１５…送信手段
１６…表示手段
１７…電源部
１８…便器内洗浄手段
１９…角度検知手段
２０…使用終了判断手段
５１…衛生洗浄装置本体
５２…操作手段
５３…着座検出手段
【図１】
2005163399.tif 000003
【図２】
2005163399.tif 000004
【図３】
2005163399.tif 000005
【図４】
2005163399.tif 000006
【図５】
2005163399.tif 000007
【図６】
2005163399.tif 000008
【図７】
2005163399.tif 000009